【手続補正書】
【提出日】令和2年4月13日(2020.4.13)
【手続補正１】
【補正対象書類名】特許請求の範囲
【補正対象項目名】全文
【補正方法】変更
【補正の内容】
【特許請求の範囲】
【請求項１】
ブレードの側面部に切欠状のタンブラー用誘導刻みが形成されているシリンダー錠用の鍵に於いて、前記切欠状のタンブラー用誘導刻みは、前記ブレードの平面部の一側上面にブレード幅方向に形成された窪み状の第１刻みと、この第１刻みのほぼ裏側位置に相当する前記ブレードの平面部の一側下面に形成された窪み状の第２刻みであり、しかも、前記第１刻みと第２刻みの中心部を通るブレード幅方向の縁部の断面形状は、傾斜状稜線部が存在する略山形形状であるシリンダー錠用の鍵。
【請求項２】
請求項１のシリンダー錠用の鍵に於いて、タンブラー用誘導刻みの第２刻みの斜辺の長さは、第１刻みの斜辺の長さとは異なることを特徴とするシリンダー錠用の鍵。
【請求項３】
請求項１のシリンダー錠用の鍵に於いて、タンブラー用誘導刻みの第２刻みの斜辺の長さは、第１刻みの斜辺の長さと略同じであることを特徴とするシリンダー錠用の鍵。
【請求項４】
請求項１のシリンダー錠用の鍵に於いて、タンブラー用誘導刻みは、第２刻みの斜辺の長さが第１刻みの斜辺の長さとは異なるものと、第２刻みの斜辺の長さが第１刻みの斜辺の長さと略同じものの二種類が、ブレードの側面部の縁部に間隔を有して存在することを特徴とするシリンダー錠用の鍵。
【請求項５】
請求項１乃至請求項４のシリンダー錠用の鍵のいずれかに於いて、タンブラー用誘導刻みは、一方の側面部の縁部に形成された一群のものと、他方の側面部の縁部に形成された一群のものとがあり、かつ、前記一群の隣同士のタンブラー用誘導刻みの断面形状の頂点の位置が異なるものが含まれ、しかも、鍵は１８０度回転させて使用することができるリバーシブルであることを特徴とするシリンダー錠用の鍵。
【手続補正２】
【補正対象書類名】明細書
【補正対象項目名】全文
【補正方法】変更
【補正の内容】
【発明の詳細な説明】
【発明の名称】シリンダー錠用の鍵
【技術分野】
【０００１】
本発明は、シリンダー錠用の鍵に関する。本発明は、例えばディスクタンブラー錠に適用される。
【背景技術】
【０００２】
特許文献１は、「錠本体と鍵本体（キープレート）との組み合わせから成る錠装置（キー装置）」が記載されている。その中で、第３図に記載の鍵本体（キープレート）は、その両側部の上下の縁部にそれぞれ形成された一群の刻み同士の間隔（ピッチ）を不均等にすることにより、「鍵違いの増大化」を図るものである。
【０００３】
しかしながら、特許文献１の一群の刻みは、それぞれ鍵本体（キープレート）の側部の端面から鍵幅方向に切欠されているので、刻みを構成する谷の底面、すなわち、幅広の平坦面と直交する谷の底面は、紙面に向かって直線状（垂直面）である。それ故に、より多くの「鍵違いの増大化」を図ることができない、リバーシブルキーの場合には力学的に変形し易い、谷の底面にゴミが付着する等の解決すべき問題点があった。
【０００４】
なお、特許文献２の図８乃至図１０には、ワーク台上に鍵材をセットし、円板状の回転刃を鍵材の側面部に押し付けながらタンブラー用誘導刻み（リバーシブルキー）を形成する技術が記載されている。
【先行技術文献】
【特許文献】
【０００５】
【特許文献１】特開昭５９−２０３１６６号公報
【特許文献２】特開平９−１４４３９８号公報の図８乃至図１０
【発明の概要】
【発明が解決しようとする課題】
【０００６】
本発明の主たる課題は、特許文献１の問題点に鑑み、「鍵違いの増大化」、「ブレードの剛性的機能の維持」及び「ブレードの刻み部分に対するゴミの非付着性」の各課題を全て達成することである。
【課題を解決するための手段】
【０００７】
本発明のシリンダー錠用の鍵は、ブレードの側面部に切欠状のタンブラー用誘導刻みが形成されている鍵に於いて、前記切欠状のタンブラー用誘導刻みは、前記ブレードの平面部の一側上面にブレード幅方向（鍵幅方向）に形成された窪み状の第１刻みと、この第１刻みのほぼ裏側位置に相当する前記ブレードの平面部の一側下面に形成された窪み状の第２刻みであり、しかも、前記第１刻みと第２刻みの中心部を通るブレード幅方向の縁部の断面形状は、傾斜状稜線部（実体部分）が存在する略山形形状（或いは屋根形状）であることを特徴とする。
【発明の効果】
【０００８】
（ａ）請求項１に記載の発明は、少なくとも一つのタンブラー用誘導刻みの鍵幅方向の断面形状は、ほぼ山形形状なので、その傾斜状稜線部が錠前の可動障害子の被誘導部分と摺接する。したがって、例えば鍵の挿入時及び引き抜き時に可動障害子との摩擦抵抗を少なくすることができるので、鍵の操作性が良い。また前記誘導刻みの鍵幅方向の断面形状はほぼ山形形状なので、その傾斜状稜線部にはゴミが付着しないと共に、傾斜状稜線部（実体部分）が存在するから、誘導刻みの底を一側上面から反対側の一側下面に直線状に切欠した非山形状の誘導刻みに比してより強靭であるという効果がある。また、実施形態によっては、鍵違いが多くなるという効果がある。
（ｂ）請求項２に記載の発明は、タンブラー用誘導刻みの第２刻みの斜辺の長さは、第１刻みの斜辺の長さとは異なるので、鍵違いが多くなるという効果がある。
（ｃ）請求項３に記載の発明は、請求項１に記載の発明と同一の効果がある。
（ｄ）請求項４に記載の発明は、タンブラー用誘導刻みは、第２刻みの斜辺の長さが第１刻みの斜辺の長さとは異なるものと、第２刻みの斜辺の長さが第１刻みの斜辺の長さと略同じものの二種類が、ブレードの側面部の縁部に間隔を有して存在するので、より一層鍵違いが多くなる。付言すると、鍵違いの増大化を図ることができる。
（ｅ）請求項５に記載の発明は、一方の側面部の縁部に形成された一群のものと、他方の側面部の縁部に形成された一群のものとがあり、かつ、前記一群の隣同士のタンブラー用誘導刻みの断面形状の頂点の位置が異なるものが含まれ、しかも、鍵は１８０度回転させて使用することができるリバーシブルであることを特徴とするので、内筒の鍵穴にブレードを差し込む際、その方向性が限定されない。
その他、ディスクタンブラー錠の内筒に組み込まれた二分割の可動障害子の被誘導部分が、例えば「ハの字状」或いは「楔状」の格好で鍵のタンブラー用誘導刻みの窪み状の第１刻み及び第２刻みを待ち構えているディスクタンブラー錠用の鍵に適合する。
【図面の簡単な説明】
【０００９】
図１乃至図１４は本発明の第１実施形態の鍵の構成を説明するための各説明図。図１５及び図１６は本発明の第２実施形態の鍵の構成を説明するための各説明図。
【図１】鍵の使用態様の一例を示す外観斜視図。
【図２】図１で示したタンブラー錠Ｘの概略縦断面図。
【図３】鍵Ｙの挿入方向Ａに直交する面で切断した概略縦断面図。
【図４】タンブラー錠の可動障害子を横にした状態の正面図。
【図５】鍵の正面図。
【図６】鍵の平面図。
【図７】図５の７−７線の箇所を参照にした特徴部分を示す説明図。
【図８】図５の８−８線の箇所を参照にした特徴部分を示す説明図。
【図９】断面山形形状の構成の説明図。
【図１０】鍵をキー孔（内筒の鍵穴）に挿入した説明図。
【図１１】図７の鍵の断面箇所の山形形状誘導部分と二分割の可動障害子の被誘導部分との摺接状態示す説明図。
【図１２】図８の鍵の断面箇所の山形形状誘導部分と二分割の可動障害子の被誘導部分との摺接状態示す説明図。
【図１３】内筒体が相対回動する旨の説明図（図７の鍵の断面箇所を含む）。
【図１４】内筒体が相対回動する旨の説明図（図８の鍵の断面箇所を含む）。
【図１５】本発明の第２実施形態の鍵の正面図
【図１６】タンブラー用誘導刻みの断面形状及び表側の斜辺の長さと裏側の斜辺の長さが同一である旨を示す説明図  （１５の１６−１６線の箇所）。
【発明を実施するための最良の形態】
【００１０】
本発明は、錠本体と鍵本体との結合からなる錠装置ではなく、「鍵自体」に特徴がある「鍵」の発明である。したがって、鍵自体の構成を詳しく説明する。なお、錠前の構成に関しては、本発明の「鍵」に最も適合する一実施形態について説明するものの、本発明の「鍵」は、本明細書及び図面に記載したディスクタンブラー錠に限定されるものではなく、シリンダー錠であれば、基本的には、例えば「外筒体と、この外筒体に回動自在に嵌合する内筒体と、この内筒体に組み込まれていると共に、タンブラーバネのバネ力に抗して半径方向にスライド自在であり、かつブレードに形成され大小のタンブラー用誘導刻みに対応して係合する被誘導部分を有する二分割の複数枚の可動障害子を備え、前記ブレードを前記内筒の鍵穴に完全挿入すると、前記二分割の複数枚の可動障害子がそれぞれ位置変位し、該内筒を回転することができるディスクタンブラー錠」に適用されるものである。
【００１１】
さて、本発明の「鍵」は、「鍵違いの増大化」、「ブレードの剛性的機能の維持」及び「ブレードの刻み部分に対するゴミの非付着性」の各課題を全て達成するものである。そして、前記各課題を達成するために、ブレードの軸方向（挿入方向）に形成した複数（例えば６個乃至１０個）の各コード（実施形態では切欠状のタンブラー用誘導刻み）の断面形状、隣同士のコードの間隔、各コードの鍵幅方向における断面山形形状の頂点の位置（側端面からの切込みの深さ）、各コードの鍵幅方向における断面山形形状の左右の斜辺の長さ等に工夫を凝らしている。
【００１２】
そこで、本発明の「鍵」の典型的な実施形態は、図５乃至図９に示している。これらの図に於いて、図５は鍵の正面図で、一方、図９はその要部（ブレード）を示す。図９は鍵ＹのブレードＢの軸方向（挿入方向）に形成した複数（例えば６個）の各コードの隣同士のコードの間隔、各コードの鍵幅方向における断面山形形状の頂点の位置（側端面からの切込みの深さ）、各コードの鍵幅方向における断面山形形状の斜辺の長さがそれぞれ異なる旨の概略説明図であり、さらに、図６乃至図８と共に、鍵Ｙは、１８０度回転させて使用することができるリバーシブルであることを示している。
【００１３】
ここで、まず図９を参照にして説明する。この図に於いて、ブレードＢの幅広の平面部７１に直交する両側面部７２の一方の縁部（図面上方）には、大きさがそれぞれ異なる切欠状のタンブラー用誘導刻み７３が合計６個、鍵の挿入方向にそれぞれ異なる間隔Ｐ１乃至Ｐ５で、一群のコードとして形成されている。一方、両側面部７２の他方の縁部（図面下方）にも、大きさがそれぞれ異なる切欠状のタンブラー用誘導刻みが合計６個、鍵の挿入方向にそれぞれ異なる間隔Ｐ１乃至Ｐ５で、他の一群のコードとして形成されている。
図９は鍵の正面図の一部拡大図なので、ここでは説明の便宜上、タンブラー用誘導刻み７３ａ、７３ｂの斜辺の長さに関係なく、正面図で見える上方の一群のコード（上方縁部の誘導刻み）に符号７３ｂを付し、これに対して、正面図で見える下方の一群のコード（下方縁部の誘導刻み）に符号７３ａを付して両方を区別する。なぜならば、この実施形態のタンブラー用誘導刻み７３ａ、７３ｂの断面形状における一方の斜辺の長さと他方の長さが異なるものを含んでいるからである。
【００１４】
次に、図６は図５の正面図に対する平面図、図７はタンブラー用誘導刻みの断面形状及び表側の斜辺の長さと裏側の斜辺の長さが相違する旨（特徴部分）を示す説明図（図５の７−７線の箇所）、図８は図７と同様にタンブラー用誘導刻みの断面形状及び表側の斜辺の長さと裏側の斜辺の長さが相違する旨（特徴部分）を示す説明図（図５の８−８線の箇所）である。これらの図は、本発明の鍵Ｙの一つの特徴事項を示している。
【００１５】
これらの図から明らかなように、本発明のシリンダー錠用の鍵Ｙは、ブレードＢの側面部７２に切欠状のタンブラー用誘導刻みが形成されている鍵に於いて、前記切欠状のタンブラー用誘導刻み７３は、前記ブレードＢの平面部７１の一側上面７１ａにブレード幅方向（鍵幅方向）に形成された窪み状の第１刻み７３ａと、この第１刻みのほぼ裏側位置に相当する前記ブレードの平面部７１の一側下面７１ｂに形成された窪み状の第２刻み７３ｂであり、しかも、前記第１刻み７３ａと第２刻み７３ｂの中心部を通るブレード幅方向の縁部の断面形状は、傾斜状稜線部（実体部分）が存在する略山形形状（或いは屋根形状）である。
【００１６】
第１実施形態の鍵Ｙでは、例えば図７及び図８で示すように、鍵幅方向の断面箇所によって、略山形形状（或いは屋根形状）の両斜辺の長さが相違する。例えば図７では、短い方の傾斜面７３ｂの長さに対して、その反対側の長い方の傾斜面７３ａは、略２倍の長さである。また図８では、短い方の傾斜面７３ｂの長さに対して、その反対側の長い方の傾斜面７３ａは略５倍である。これらの各図は、前記第１刻み７３ａと第２刻み７３ｂの中心部を通るブレード幅方向の縁部の断面形状は、傾斜状稜線部（実体部分）が存在する略山形形状であるものの、その断面箇所によって、略山形形状の両斜辺の長さが相違する旨を示し、実施形態では合計６の異なる山形断面形状となり、各山形断面形状の頂点或いは斜辺の長さがそれぞれ異なるように構成することにより、「鍵違いの増大化」を図っている。
【００１７】
付言すると、タンブラー用誘導刻み７３の第２刻み７３ｂの斜辺の長さは、第１刻み７３ａの斜辺の長さよりも短い（異なる刻みである）もの同士の組み合わせである。
しかしながら、本発明の第２実施形態の鍵Ｙ１は、図１５及び図１６で示すように、タンブラー用誘導刻み７３の第２刻み７３ｂの斜辺の長さは、第１刻７３ａみの斜辺の長さと略同じ（同等の刻みである）ものも含まれるので、好ましい実施形態としては、タンブラー用誘導刻み７３は、第２刻み７３ｂの斜辺の長さが第１刻み７３ａの斜辺の長さよりも短いもの（異なる刻み）と、第２刻み７３ｂの斜辺の長さが第１刻み７３ａの斜辺の長さと略同じもの（同等の刻み）の二種類が、ブレードの側面部の縁部に不均等の間隔を有して、又は所定の間隔（均等間隔）を有して存在する。そして、最適な実施形態のタンブラー用誘導刻み７３は、一方の側面部の縁部に形成された一群のものと、他方の側面部の縁部に形成された一群のものとがあり、かつ、前記一群の隣同士のタンブラー用誘導刻みの断面形状の頂点Ｐの位置が異なるものが含まれ、しかも、鍵Ｙ１（Ｙ）は１８０度回転させて使用することができるリバーシブルである。
【００１８】
次に図１乃至図４は、本発明の「鍵（Ｙ、Ｙ１）」の適用に相応しい錠前、特に、ディスクタンブラー錠Ｘ（以下、ここでは「タンブラー錠」という。）を示す各説明図である。図１は本発明のタンブラー錠Ｘを扉１の壁部１ａに取り付け、それと共に合鍵Ｙを示した外観斜視図である。まずこの図１に於いて、Ｘはタンブラー錠で、このタンブラー錠Ｘは合鍵Ｙの操作力により、複数の部材を組み合わせて形成された内筒体３が長筒状の外筒体２に対して相対回動する。
【００１９】
実施形態では、扉１（例えば、住宅の扉、自動販売機の扉など）の壁部１ａにタンブラー錠Ｘが水平状態に固着され、前記内筒体３を構成する錠先端部４に化粧カバー５が外嵌合している。
【００２０】
図１で示すように、キー孔（鍵穴）６を有する錠先端部４及び化粧カバー５は、壁部１ａの外壁面から突出している。また内筒体３を構成する錠後端部７は、外筒体２あるいは内筒体３の軸線０上に位置するテールピース（出力片）８を有している。なお、符号Ａは合鍵Ｙの挿入方向である。
【００２１】
次に、図２は図１で示したタンブラー錠Ｘの中心軸線０を含む面で切断した概略縦断面図である。一方、図３は合鍵Ｙの挿入方向Ａに直交する面で切断した概略縦断面図である。図２及び図３を参照してタンブラー錠Ｘの基本的な構成部材を説明する。
【００２２】
まず、本発明のタンブラー錠Ｘは、内筒体の中心軸方向に所定間隔を有して二列状態に配設された二分割の左右或いは上下の可動障害子Ｚを有する点、また本発明のディスクタンブラー錠の鍵Ｙは、前記二分割の可動障害子Ｚのブレート用嵌挿孔を形成する各対向面に設けた傾斜状の各被誘導部分に対応する鍵幅方向の断面が、ほぼ山形のタンブラー用誘導刻みである点に特徴がある。
【００２３】
前述したように、２は長筒状の外筒体で、この外筒体の内周面２ａには、該外筒体２の母線に沿ってロックカム溝１１が形成されている（図２参照）。一対のロックカム溝１１は外筒体の母線に沿って、かつ外筒体２或いは内筒体３の中心軸線０を基準にして上下或いは左右の中心部に対称に形成されている。
【００２４】
図３で示すように、左右のロッキングバー１２は、外筒体２の各ロックカム溝１１に対して係脱する外側の尖頭部１２ａと、この尖頭部に連設形成された内側の係合板部分１２ｂとから成り、内筒体３の外周端部に形成された該内筒体の長手方向の解錠切欠１３に適宜に組み込まれている。そして、図２で示すように、例えば内筒体３の錠先端部４側（後方）に配設された前側の付勢バネ１４と、錠後端部７側（前方）に配設された後側の付勢バネ１４により、各ロッキングバー１２は内筒体３の半径外方向にそれぞれ常時付勢されている。したがって、各ロッキングバー１２は、常態では、それぞれ複数の付勢バネ１４、１４により、各外側の尖頭部１２ａが外筒体２の各ロックカム溝１１、１１に係合している。
【００２５】
次に内筒体３は、中心部にキー孔６を有する錠先端部４と、出力突起片としてのテールピース８を中心部に有する錠後端部７と、この錠後端部７と前記錠先端部４との間に設けられ、かつ該軸線方向と直交する複数の仕切板（或いは仕切り部）１６によって区画形成される複数のタンブラー収容部２７並びに複数のタンブラーバネ用収容部２８、不番の仕切板用スロット、可動障害子用の一対の板状案内部１０，１０、軸線方向の解錠切欠１３等を有すると共に、断面弧状の上下或いは左右の分割体を複数の仕切板等を介して長筒状に形成された内筒本体１５と、この内筒本体に中心軸線方向に沿って列状に併設されていると共に、該軸線方向と直交し、かつ前記タンブラー収容部２７及びタンブラーバネ収容部２８を形成する複数の円形或いはトラック形状の仕切板１６と、前記内筒本体１５の一端開口２７ａから差し込まれた前記仕切板１６の連結孔１８を貫通して前記錠先端部４及び錠後端部７に架設された一対の所定長の連結棒１９とから成る。内筒体３の具体的構成は、本発明の特定要件ではないので、割愛する。
【００２６】
なお、図２に於いて、符号２６は環状の防御プレートで、この防御プレート２６は適宜に焼き入れされていると共に、その中心部にキー孔６と一致する不番の中心孔、その中心部寄りの部位に前述したガイド棒用の不番の挿通孔等が適宜に形成されている。
【００２７】
ここで初期位置を示す図３を説明する。この図３を基準にすると、内筒本体１５は、ハッチングで示した左右の段差状実体部分１５ａ、１５ａを除き、上方外周の開口側の一端部が幅広く、一方、下方外周の開口或いは非開口の他端部が幅狭であり、内筒体３（内筒本体１５）の中心軸線Ｏを通る垂直線Ｖ上に位置する可動障害子用の上下の板状案内部１０，１０を基準にすると、左右一対のタンブラー収容部２７、２７を有している。
これらのタンブラー収容部２７には、その一端開口２７ａから左右一対の可動障害子Ｚが適宜に組み込まれる。図２で示すように、７枚（分割の可動障害子Ｚは、全部で１４枚）の可動障害子Ｚは、複数のトラック形状或いは円形の仕切板１６を介して中心軸線Ｏ方向に列状に配設されている。
【００２８】
しかして、１３は内筒本体１５の上下部或いは左右部に対称的に形成された一対の解錠切欠で、これらの解錠切欠１３は前述した上下或いは左右の実体部分１５ａ、１５ａの中央部に半径内方向に向かって形成され、一対のロッキングバー１２の尖端部１２ａをそれぞれ嵌合案内する。２８はタンブラー収容部２７内の適宜箇所（図３では、左右の実体部分１５ａ、１５ａの段差状下端部分）に形成されたバネ端支持面を有する左右一対のタンブラーバネ収容部で、これらのタンブラーバネ収容部２８は、左右の段差状実体部分１５ａ、１５ａの内側に対向して垂直方向或いは水平方向に一対設けられている。
【００２９】
次に図２参照にして錠後端部７側の構成を説明する。前述したように、錠後端部７はテールピース８を有するが、該テールピース８は、外筒体２の後端部に設けられたワッシヤーリング３１ａ、ストッパーリング３１ｂ等の止め具３１を介して外筒体２の後端部内に回動自在に嵌合するテールプラグ３２の中心部に取付けられている。
【００３０】
錠後端部７を構成するテールプラグ３２は、錠先端部４と同様に連結棒１９の後端部を支持する後支持孔３３を一対有している。連結棒１９は、内筒本体１５に組み込まれた後述の可動障害子Ｚ及び仕切板１６を貫通した状態で、その先端部は前支持孔２５に、一方、後端部は後支持孔３３に支持されている。
【００３１】
次に図４を参照にして、二分割の可動障害子Ｚの構成を説明する。なお、図面上方の他方の可動障害子Ｚの構成は、図面下方の一方のそれと同一なので、同一の符号を付して重複する説明を割愛する。図４は可動障害子Ｚの横にした状態の正面図（又は背面図）である。
【００３２】
この図４を基準にすると、右側の大きな弧状に形成された右端部（ここでは「一端部４１ａ」とする）は、外筒体２の内周面２ａの曲率に対応して形成されているので、タンブラーバネ４２に付勢されている状態（施錠状態）では、例えば外筒体２の内周面２ａに圧接する。左側の小さな弧状端面を有する突起状の左端部（ここでは「突起状他端部４１ｂ」とする）は、タンブラーバネ収容部２７と下方の板状案内部１０の間の収納部３０内に位置する。この突起状他端部４１ｂの内端部側（図面上は上端部）４１ｃに傾斜状の他方の被誘導部分ｂが形成されている。この図４では現れないが、前記他方の被誘導部分ｂの裏側（背面）に、傾斜状の一方の被誘導部分ａが形成されている。そして、前記内端部側（図面上は上端部）４１ｃに対する外端部（図面上は下端部）４１ｄに単数又は複数のロッキングバー１２の係合板部分１２ｂ用の受け入れ凹所４８が形成されている。また左端部の横倒れ状凹所は、タンブラーバネ４２用の端部を支持するバネ支持端部４９である。さらに、４６は連結棒１９用貫通孔で、この連結棒１９用貫通孔４６は、可動障害子Ｚがタンブラーバネ４２のバネ力に抗して図面上左側にスライドすることから、長孔矩形状に形成されている。
【００３３】
次に、図５乃至図９に戻って本発明の合鍵Ｙの構成について補足説明をする。これらの図に於いて、Ｙは合鍵、Ｂはブレード（差し込み部分）、７１は平面部、７１ａは平面部の一側上面、７１ｂは平面部の一側下面、７２は側面部、７２ａは一方の側面、７２ｂは他方の側面である。
【００３４】
この実施形態の合鍵としての鍵Ｙは、内周面に母線に沿ってロックカム溝１１を有する外筒体２と、この外筒体に回動自在に嵌合すると共に、中心軸線Ｏに沿って形成されたキー孔６及び半径方向の解錠切欠１３を有する内筒体３と、この内筒体の母線に沿って延在し、前記ロックカム溝１１と係合する方向に付勢されたロッキングバー１２と、前記内筒体３の各仕切り部１６の間にそれぞれ位置すると共に、タンブラーバネ４２のバネ力に抗して半径方向にスライド自在であり、かつ合鍵ＹのブレードＢに形成され大小のタンブラー用誘導刻み７３に対応して係合する被誘導部分を有する複数枚の可動障害子Ｚを備えたシリンダー錠用の鍵であって、前記可動障害子Ｚは、対向状態に二分割され、その内端部側の各対向面の一部に傾斜状に形成された前記被誘導部分（ａ、ｂ）を有し、一方、前記合鍵のＹの前記タンブラー用誘導刻み７３は、前記ブレードＢの平面部７１の一側上面７１ａに側面部７２からブレード幅方向（鍵幅方向）に形成された窪み状の第１刻み７３ａと、この第１刻み７３ａのほぼ裏側位置に相当する前記平面部７１の一側下面７１ｂに形成された窪み状の第２刻み７３ｂであり、前記合鍵ＹのブレードＢを前記キー孔６に挿入すると、前記二分割の可動障害子Ｚは、それぞれ前記タンブラーバネ４２のバネ力に抗して、かつ一対の連結棒１９にそれぞれ同じ方向に案内されると共に、該可動障害子Ｚの被誘導部分ａ、ｂが前記合鍵のタンブラー用誘導刻み７３に係合し、これにより二分割された可動障害子Ｚの外端部側の各解錠用受け入れ凹所４８が、前記ロッキングバー１２の内端部側の係合板部分１２ｂと一致し、以て、合鍵Ｙと共に内筒体３を解錠方向へ回動させた時、前記ロックカム溝１１と前記ロッキングバー１２との間に生じる楔作用により、内筒体３が外筒体２に対して相対回動する（図１３、図１４参照）。
【００３５】
図７は、図５の７−７線の箇所のタンブラー用誘導刻み７３の断面形状、及び表側の斜辺の長さと裏側の斜辺の長さが相違する旨（特徴部分）を示す説明図である。実施形態のタンブラー用誘導刻み７３は、例えば図５で示すように、ブレード（差し込み部分）Ｂの側面部７２である両側面７２ａ、７２ｂにそれぞれブレードの差し込み方向に深さが異なる大小の誘導刻み７３がそれぞれ形成されているが、図５の状態で合鍵Ｙをひっくり返した場合、前記側面部７２である両側面７２ａ、７２ｂにもそれぞれブレードＢの差し込み方向に深さが異なる大小の誘導刻み７３がそれぞれ形成されている。
【００３６】
したがって、図７で示すようにタンブラー用誘導刻み７３の断面形状はほぼ山形状であり、上下の山形状誘導刻み７３の各稜線部（刃先に見える部分）Ｐ、Ｐは、内筒体２の中心軸線Ｏを通る垂直線Ｖから回転対称の状態で外れている。したがって、タンブラー用誘導刻み７３の第２刻み７３ｂの斜辺の長さＬ２は、第１刻み７３ａの斜辺の長さＬ１よりも短い。
【００３７】
ところで、深さが異なる大小の誘導刻み７３は、可動障害子Ｚの配列位置に対応してブレードＢの挿入方向に表と裏にそれぞれ合計５乃至７程度形成されているが、もちろん、大小のタンブラー用誘導刻み７３の数は可動障害子Ｚのそれに対応するのが望ましい。なお、合鍵のＹのブレードＢの平面視上の中央部部分に回転対称にブレードの挿入方向に沿って直線状に長溝７４が形成されている。
【００３８】
なお、本発明の鍵Ｙ、Ｙ１が適用することができる錠前は、タンブラーが直線移動するタイプのもの、例えば特開昭６２−１９４３７４公報、実公平６−２８６１６号公報、特開２０００−９６８８９号公報等のみならず、例えば実開昭５５−１２８８４８号公報、特開平９−１４４３９８号公報等に記載されている振り子式の原理を用いたもの（レバー式タンブラー錠）にも適用可能である。
【産業上の利用可能性】
【００３９】
本発明は、錠前や建具の分野で利用することができる。
【符号の説明】
【００４０】
Ｘ…タンブラー錠、
Ｚ…二分割の可動障害子、
ａ、ｂ…被誘導部、
Ｙ、Ｙ１…合鍵、
Ｂ…ブレード、
Ｐ１〜Ｐ５…間隔（ピッチ）、
Ｐ…断面形状の頂点の位置、
７１…平面部、
７２…側面部、
７３…タンブラー用誘導刻み、
７３ａ…第１刻み、
Ｌ１…第１刻みの斜辺の長さ、
７３ｂ…第２刻み、
Ｌ２…第２刻みの斜辺の長さ、
７４…直線状長溝、
１…扉、
２…外筒体、
３…内筒体、
１１…ロックカム溝、
１２…ロッキングバー。